(57)【要約】      （修正有）【課題】ガス配管とガス器具のガス導入部との間を接続するガス栓において、取り付け方向や向きが異なる場合であっても、使用者が摘みを容易にかつ確実に操作できるようにすることで、接続時の自由度を大きくしたガス栓を提供する。【解決手段】筒体であるガス栓本体２と、ガス栓本体２の内部を貫通するガス流路と、ガス栓本体に回動自在に収容されていて回動位置によって前記ガス流路を開閉することのできる栓体と、栓体を回動するためにガス栓本体２の外側面において栓体と一体に回動可能に配置された摘みとを備える形式のガス栓１において、前記摘みは、主摘み３と前記主摘み３と傘歯歯車４、６を介して連動回動する補助摘み５で構成される。補助摘み５は主摘み３と９０度位相をずらした位置において前記ガス栓本体２に回動可能に備えられている。一態様では、傘歯歯車４、６の間に中間歯車を備える。【選択図】図１
2015094466.tif 000002
【特許請求の範囲】
【請求項１】
９０度に折曲した筒状のガス栓本体と、前記ガス栓本体の内部を貫通するガス流路と、前記ガス栓本体の折曲部に回動自在に収容されていて回動位置によって前記ガス流路を開閉することのできる栓体と、該栓体を回動するために前記ガス栓本体の外側面において前記栓体と一体に回動可能に配置された摘みとを備える形式のガス栓であって、
前記ガス栓は、前記摘みとして、主摘みと前記主摘みと連動して回動する補助摘みを有しており、前記補助摘みは前記主摘みと９０度位相をずらした位置において前記ガス栓本体に回動可能に備えられていることを特徴とするガス栓。
【請求項２】
前記主摘みおよび補助摘みは互いに噛み合う傘歯歯車をそれぞれ有しており、該傘歯歯車を介しての動力伝達により前記主摘みと補助摘みの回転の連動が進行することを特徴とする請求項１に記載のガス栓。
【請求項３】
前記主摘みに形成した傘歯歯車と前記補助摘みに形成した傘歯歯車との間には前記ガス栓本体に回転自在に取り付けられた中間歯車が介在しており、該中間歯車が介在することで、前記主摘みと補助摘みとは同方向に回動することを特徴とする請求項２に記載のガス栓。
【発明の詳細な説明】
【技術分野】
【０００１】
本発明はガス栓に関し、特に、内部を貫通するガス流路を有する９０度に折曲したガス栓本体の前記折曲部に回動自在に栓体が備えられており、該栓体の回動位置によって前記ガス流路が開閉される形式のガス栓に関する。
【背景技術】
【０００２】
９０度に折曲した筒状のガス栓本体と、前記ガス栓本体の内部を貫通するガス流路と、前記ガス栓本体の折曲部に回動自在に収容されていて回動位置によって前記ガス流路を開閉することのできる栓体と、該栓体を回動するために前記ガス栓本体の外側面において前記栓体と一体に回動可能に配置された摘みとを備える形式のガス栓は、例えば特許文献１に記載のように、従来公知である。
【０００３】
このようなガス栓において、ガス栓本体の一方端にはガス配管が、９０度位相を異にする他方端には、ガス器具に備えられたガス取り入れ用の筒体が、適宜の連結手段を介してそれぞれ接続される。通常のガス栓において、当該ガス栓がガス配管とガス器具との間に接続された状態で、ガス栓内の栓体は、ガス流路が開いた状態となる位置にセットされており、ガス器具に備えられた着火および開閉弁手段を操作することで、ガス器具の着火と消火が行われる。ガス器具を長期にわたり使用しないようなときに、使用者はガス栓に備えられた摘みを操作して栓体を回動し、栓体を常閉の位置にセットすることで、安全を確保している。
【先行技術文献】
【特許文献】
【０００４】
【特許文献１】特開２００１−４０４２号公報
【発明の概要】
【発明が解決しようとする課題】
【０００５】
一般の建物では、ガス配管の位置やシステムキッチンの設置位置は予め定まっており、自由度のないのが通常である。一方、システムキッチンおよびそこに取り付けるガスコンロは多くの種類があり、各ガスコンロに備えられているガス取り入れ用の筒体の位置や方向も一定でない。そのために、ビルトイン型のガスコンロと建物に備え付けのガス配管とをガス栓を用いて接続するときに、ガスコンロの種類に応じて、それに合った形態のガス栓を用いることが必要となる場合がある。
【０００６】
例えば、前記特許文献１に記載されるような形態のガス栓の場合、栓体を開位置から閉位置にまた閉位置から開位置に回動するための摘みが、栓体の回転軸心線の延長上に１つ備えられているだけであり、ガス栓をガス器具とガス配管との間に接続したときに、その摘みが使用者の手が届きにくい場所に位置してしまう場合が起こりうる。そのために、例えば、摘みの位置を９０度位相の異なる場所とした形態のガス栓を予め用意しておくなど、設置場所に応じた多くの形態のガス栓を常備しておくことが求められ、コスト的に不利であるとともに、製品管理の面でも好ましくない。
【０００７】
本発明は、上記の課題を解決することを課題としており、９０度に折曲した筒状のガス栓本体と、前記ガス栓本体の内部を貫通するガス流路と、前記ガス栓本体の折曲部に回動自在に収容されていて回動位置によって前記ガス流路を開閉することのできる栓体と、該栓体を回動するために前記ガス栓本体の外側面において前記栓体と一体に回動可能に配置された摘みとを備える形式のガス栓において、それを取り付けたときの取り付け方向や向きが異なる場合であっても、使用者が摘みを容易にかつ確実に操作できるようにすることで、接続時の自由度をさらに大きくしたガス栓を提供することを課題とする。
【課題を解決するための手段】
【０００８】
本発明によるガス栓は、９０度に折曲した筒状のガス栓本体と、前記ガス栓本体の内部を貫通するガス流路と、前記ガス栓本体の折曲部に回動自在に収容されていて回動位置によって前記ガス流路を開閉することのできる栓体と、該栓体を回動するために前記ガス栓本体の外側面において前記栓体と一体に回動可能に配置された摘みとを備える形式のガス栓であって、前記ガス栓は、前記摘みとして、主摘みと前記主摘みと連動して回動する補助摘みを有しており、前記補助摘みは前記主摘みと９０度位相をずらした位置において前記ガス栓本体に回動可能に備えられていることを特徴とする。
【０００９】
本発明によるガス栓では、栓体を操作する摘みが、１か所ではなく、９０度位相をずらして２か所に設けられている。そのために、ガス栓の一方端を建物側のガス配管に接続し、他方端をガス器具に取り付けられているガス取り入れ用の筒体に接続したときに、ガス配管とガス取り入れ用の筒体の位置や向きの関係で、異なる姿勢となる場合であっても、使用者にとって、主摘みあるいは補助摘みのいずれかが、使用しやすい場所あるいは向きとなる可能性がきわめて高くなる。使用者は、自分にとって使用しやすい方の摘み（主摘みまたは補助摘みのいずれか）を選択し、栓体の回動操作を行うことができる。
【００１０】
上記のように、本発明によるガス栓は、ガス配管とガス器具との間に取り付けた時の姿勢が、ガス配管およびまたはガス器具側の事情で異なる場合であっても、利用者に操作の不自由さを感じさせることが少なくなる。そのために、同じ形態のガス栓を多くの異なった環境下で使用することが可能となる。すなわち、１つの種類のガス栓を多くの異なった環境で適切に利用することができるので、ガス栓にかかるコストの低減が可能となる。
【００１１】
本発明によるガス栓において、主摘みと補助摘みの動き（回動）を連動させる手段は任意であり、主摘みと補助摘みとの間の摩擦による動力伝達手段などであってもよい。より確実にかつ精度高く回転角度を伝達できることから、歯車伝動による手段、特に、主摘みおよび補助摘みは、互いに噛み合う傘歯歯車をそれぞれ有しており、該傘歯歯車を介しての動力伝達により前記主摘みと補助摘みの回転の連動が進行するようにした形態のガス栓は、好ましい態様である。この場合に、主摘みと補助摘みの回転は正逆両方向に等しく繰り返されることから、傘歯歯車は曲がり歯ではなく、すぐ歯であることが望ましい。また、一般に、ガス栓の栓体はほぼ９０度の回転角度でもって開位置と閉位置とが選択される形態であり、前記傘歯歯車は、互いに噛み合うようにして少なくとも９０度の円周角度範囲に形成されていればよい。さらに、９０度の範囲を超えて主摘みおよび補助摘みが回転するのを阻止するための、従来知られた回転制限手段を備えるようにしてもよい。
【００１２】
傘歯歯車による動力伝達では、駆動側と受動側とで回転方向が逆となる。利用者にとっては、主摘みと補助摘みのいずれを操作する場合でも、同じ方向に回転することで開操作あるいは閉操作となることが望ましい。そのために、本発明によるガス栓の一態様では、前記主摘みに形成した傘歯歯車と前記補助摘みに形成した傘歯歯車との間には前記ガス栓本体に回転自在に取り付けられた中間歯車が介在しており、該中間歯車が介在することで、前記主摘みと補助摘みとは同方向に回動するようにされている。
【発明の効果】
【００１３】
本発明によるガス栓を用いることにより、建物側のガス配管とガス器具に取り付けられたガス取り入れ用の筒体との位置関係が種々異なっている場合であっても、同一形態のガス栓を用いながら、利用者は、主摘みと補助摘みのいずれかを操作することで、当該ガス栓に収容されている栓体を容易かつ確実に所要方向に回動することが可能となる。そのために、ガス栓の種類を減らすことができ、ガス栓にかかるトータルとしてのコストを低減することができ、また、ガス栓の製品管理も容易となる。
【図面の簡単な説明】
【００１４】
【図１】本発明によるガス栓の一形態を示す正面図（ａ）と側面図（ｂ）。
【図２】本発明によるガス栓の他の形態を示す正面図（ａ）と側面図（ｂ）。
【発明を実施するための形態】
【００１５】
以下、この発明を実施するための形態を、図面を参照して説明する。図１は、本発明によるガス栓の一実施の形態を示す正面図（図１（ａ））と側面図（図１（ｂ））である。
【００１６】
ガス栓１は、９０度に折曲する筒状のガス栓本体２を有し、該ガス栓本体２内には内部を貫通するようにしてガス流路（図では示されない）が形成されている。ガス栓本体２の折曲部には、やはり図示されない栓体が回動自在に収容されており、該栓体の回動位置によって前記ガス流路が開いた状態と閉じた状態とが選択される。さらに、該栓体を回動するための円筒状の主摘み３が、ガス栓本体２の外側面において、栓体と一体に回動可能にかつ栓体の回転軸心線（図１（ｂ）参照）上に回転中心を持つようにして配置されている。なお、上記の構造は、従来のガス栓においてよく知られたものであり、詳細な説明は省略する。
【００１７】
本発明によるガス栓１においては、前記主摘み３に加えて、さらに円筒状の補助摘み５が備えられる。該補助摘み５は、前記主摘み３と９０度位相をずらした位置において、前記ガス栓本体２に対して回動可能に備えられており、かつ、主摘み３と補助摘み５とは、適宜の手段により、互いに連動して回動するようになっている。図示の例では、主摘み３および補助摘み５は、ガス栓本体２に面した側に、噛み合うようにして傘歯歯車４、６を有している。したがって、主摘み３を駆動的に回動すると、それに連動して、おなじ回転角度だけ補助摘み５は従属して逆方向に回転し、逆に、補助摘み５を駆動的に回動すると、それに連動して、おなじ回転角度だけ主摘み３は従属して逆方向に回転する。いずれの場合も、その回転角度だけ、図示しない栓体が回動する。
【００１８】
また、前記ガス栓本体２の両開放端には、適宜の接続具７、８が取り付けられており、一方の接続具７には、建物側に設置された図示しないガス配管が連結され、他方の接続具８には、例えばシステムキッチンにセットされた適宜のガス器具に備えられたガス取り入れ用の筒体（不図示）が連結される。したがって、このガス栓１では、接続具７側がガス流入側となり、接続具８側がガス流出側となる。
【００１９】
建物内にシステムキッチンを取り付け施工するときに、建物側に取り付けられているガス配管と、システムキッチンにセットされたガス器具に備えられたガス取り入れ用の筒体とは、上記したガス栓１を用いて接続される。接続した状態で、使用者が主摘み３または補助摘み５のいずれかを回動することで、ガス流路の開閉が進行する。
【００２０】
本発明によるガス栓１を使用する場合、接続した状態で、前記主摘み３が使用者にとって操作しやすい向きあるいは位置にあるときは、使用者は主摘み３を操作して、ガス流路の開閉を行う。接続の都合で、主摘み３が使用者の手の届かない向きあるいは位置となってしまった場合は、使用者は、補助摘み５を操作することで、ガス流路の開閉を容易にかつ確実に行うことができる。
【００２１】
言い換えると、本発明によるガス栓１を用いることにより、建物側のガス配管とガス器具に取り付けられたガス取り入れ用の筒体との位置関係が種々異なっていても、当該ガス栓１に収容されている栓体を操作するための操作具である主摘み３または補助摘み５のいずれかが、利用者にとって使用しやすい向きとして取り付けられる可能性が高くなる。そのために、施工時に用意するガス栓の種類を減らすことができ、結果として、ガス栓にかかるトータルとしてのコストを低減することができ、また、ガス栓の製品管理も容易となる。
【００２２】
図２は、本発明によるガス栓の他の実施の形態を正面図（図２（ａ））と側面図（図２（ｂ））で示している。図２に示すガス栓１ａは、主摘み３に形成した傘歯歯車４と、補助摘み５に形成した傘歯歯車６との間に、ガス栓本体２に回転自在に取り付けられた中間歯車９が介在している点で、図１に示したガス栓１と構成が異なっている。他の構成は、ガス栓１と同じであってよく、説明は省略する。
【００２３】
このガス栓１ａでは、主摘み３を駆動的に回動すると、それに連動して、前記中間歯車９が逆方向に回転する。そして、中間歯車９の回転が補助摘み５に伝えられ、補助摘み５は主摘み３と同じ回転角度だけ、主摘み３と同じ方向に従動的に回転する。また、補助摘み５を駆動的に回動すると、それに連動して、前記中間歯車９が逆方向に回転し、中間歯車９の回転が主摘み３に伝えられる。それにより、主摘み３は補助摘み５と同じ回転角度だけ、補助摘み５と同じ方向に従動的に回転する。この態様のガス栓１ａでは、主摘み３と補助摘み５とが、同じ方向に回転するので、利用者にとっては、図１に示すガス栓１と比較して、より使用勝手の良いものとなる。
【符号の説明】
【００２４】
１、１ａ…ガス栓、２…筒体であるガス栓本体、３…主摘み、４…主摘みに取り付けた傘歯歯車、５…補助摘み、６…補助摘みに取り付けた傘歯歯車、７、８…接続具、９…中間歯車。
【図１】
2015094466.tif 000003
【図２】
2015094466.tif 000004